(57)【要約】【課題】キーボードの使用が快適且つキーボード収納に便利なキーボードを立てて収納する機能を具有するリストレストの構造を提供する。【解決手段】リストレスト本体２３内部に収納されたり該リストレスト本体２３より引き出されるべく、一つ以上の移動ブロック２５を設け、そ一つの該移動ブロック２５は該リストレスト本体２３に枢接し、また一つの該移動ブロック２５には回転するべく枢接される壁板２７を設け、該壁板２６は回転して設定された角度に至ると定位されるようにし、こうすることでキーボード１１を該壁板２７によって支持する。【選択図】        図４
0003102243.tif 000002
【実用新案登録請求の範囲】
【請求項１】
リストレスト本体と、移動ブロックと、壁板とより構成されるリストレストの構造において、
該移動ブロックは、該リストレスト本体内部に収納されたり該リストレスト本体から移動して出されるべく、少なくとも一つ以上設けられており、且つそのうちの一つは該リストレスト本体に移動するべく枢接されており、
また該壁板は、一つの該移動ブロックに回転するべく枢接されており、ある一定の予め設定された角度にまで回転すると定位される構造を具有し、
上述の構造により、キーボードが既に回転されて予め設定された角度にて定位された該壁板によって支持されることを特徴とするキーボードを立てて収納する機能を具有するリストレストの構造。
【請求項２】
該移動ブロックは、水平方向に該リストレスト本体を活動させて移動させるための滑動ブロックであることを特徴とする請求項１記載のキーボードを立てて収納する機能を具有するリストレストの構造。
【請求項３】
該滑動ブロックには第一滑動ブロック及び第二滑動ブロックを含み、
該第一滑動ブロックは、該リストレスト本体に対して滑動するべく枢接されており、該第二滑動ブロックは、該第一滑動ブロックに対して滑動するべく枢接されていることを特徴とする請求項２記載のキーボードを立てて収納する機能を具有するリストレストの構造。
【請求項４】
該壁板は回転するべく該第二滑動ブロックに枢接されていることを特徴とする請求項３記載のキーボードを立てて収納する機能を具有するリストレストの構造。
【請求項５】
該移動ブロックは回転させることにより、該リストレスト本体から回転して移動して、展開する回転ブロックであることを特徴とする請求項１記載のキーボードを立てて収納する機能を具有するリストレストの構造。
【請求項６】
該壁板は回転可能となるべく該回転ブロックに枢接されていることを特徴とする請求項５記載のキーボードを立てて収納する機能を具有するリストレストの構造。
【請求項７】
該リストレストの予め設定された定位角度を90度とすることを特徴とする請求項１記載のキーボードを立てて収納する機能を具有するリストレストの構造。
【考案の詳細な説明】
【技術分野】
【０００１】
本考案はキーボードを立てて収納する機能を具有するリストレストの構造に係り、特にキーボードを立てて収納する機能が設けられたリストレストの構造に関わる。
【背景技術】
【０００２】
図１に示すように、従来のキーボード１１におけるリストレスト１３とは、主にコンピュータを使用する際、使用者の手を快適な状態に保つ機能を提供している。
しかしこういったリストレストでは、手を快適な状態に保つといった単一の機能のみしか提供されておらず、またキーボードにリストレストを装着することで、デスクのスペースを大幅にとってしまい、コンピュータを使用しない際の事務処理などを行う際に邪魔になるといった欠点もある。そこでデスクのスペースを有効に利用するために、図２に示すような収納に便利なキーボードが既に考案されており、これは該キーボード１５の外殻には少なくとも一つの支え部１５ａが設けられており、該支え１５部ａは二股に分かれた形状となっていることでキーボードを立てて収納する際の支えを提供しているのであるが、しかし該キーボード１５は該支え部１５ａを二股に分かれた構造としていることにより、該キーボード１５に一定の厚みが生じてしまうことが欠点となっている。
【特許文献１】特開２００３−１５０３０１号公報
【考案の開示】
【考案が解決しようとする課題】
【０００３】
そこで上述の公知構造における欠点に鑑み、キーボードの使用が快適且つデスクのスペースを有効利用するべくキーボード収納に便利な本考案のキーボードを立てて収納する機能を具有するリストレストの構造を提供する。
【課題を解決するための手段】
【０００４】
リストレスト本体内部に収納されたり該リストレスト本体より引き出されるべく、一つ以上の移動ブロックを設け、そ一つの該移動ブロックは該リストレスト本体に枢接し、また一つの該移動ブロックには回転するべく枢接される壁板を設け、該壁板は回転して設定された角度に至ると定位されるようにし、こうすることでキーボードを該壁板によって支持する。
すなわち、本考案のキーボードを立てて収納する機能を具有するリストレストの構造は、請求項１に記載するように、
リストレスト本体と、移動ブロックと、壁板とより構成されるリストレストの構造において、該移動ブロックは、該リストレスト本体内部に収納されたり該リストレスト本体から移動して出されるべく、少なくとも一つ以上設けられており、且つそのうちの一つは該リストレスト本体に移動するべく枢接されており、また該壁板は、一つの該移動ブロックに回転するべく枢接されており、ある一定の予め設定された角度にまで回転すると定位される構造を具有し、上述の構造により、キーボードが既に回転されて予め設定された角度にて定位された該壁板によって支持されることを特徴とする。
また請求項２に記載するように、該移動ブロックは、水平方向に該リストレスト本体を活動させて移動させるための滑動ブロックであることが好ましい。
請求項３に記載するように、該滑動ブロックには第一滑動ブロック及び第二滑動ブロックを含み、該第一滑動ブロックは、該リストレスト本体に対して滑動するべく枢接されており、該第二滑動ブロックは、該第一滑動ブロックに対して滑動するべく枢接されていることが好ましい。
請求項４に記載するように、該壁板は回転するべく該第二滑動ブロックに枢接されていることが好ましい。
請求項５に記載するように、該移動ブロックは回転させることにより、該リストレスト本体から回転して移動して、展開する回転ブロックであることが好ましい。
請求項６に記載するように、該壁板は回転可能となるべく該回転ブロックに枢接されていることが好ましい。
請求項７に記載するように、該リストレストの予め設定された定位角度を90度とすることが好ましい。
【考案の効果】
【０００５】
本考案によると、リストレスト本体の内部空間にキーボードが収納される個所が提供され、また本構造を展開することで即使用することができて使用に便利となり、且つ省スペースの目的が達成されてコンピュータを使用しない際のデスク上のスペースを有効活用する目的が達成された。
【考案を実施するための最良の形態】
【０００６】
図３及び図４に示すように、本考案の第一実施例では、キーボードを立てて収納する機能を具有するキーボードのリストレスト２０を含み、該リストレスト２０にはリストレスト本体２３と少なくともひとつ以上の移動ブロック２５及び壁板２７とを含む。
第一実施例における該移動ブロック２５は水平方向（図中Ａ）に移動しながら該リストレスト本体２３を外部へ向けて移動させる構造となっている。使用者がキーボード２１を操作する際、該本体２３は手を置いて心地よく使用できる個所を提供し、また該壁板２７及び該ブロック２５の第一滑動ブロック２５１，第二滑動ブロック２５３は該リストレスト本体２３の内部空間に収納されるべく設計されているものとする。
使用者が該キーボード２１を操作しないときには、該第一滑動ブロック２５１，第二滑動ブロック２５３は該リストレスト本体２３を水平方向（図中Ａ）に移動させることで外部にまで引き出し、移動された後の該第一滑動ブロック２５１，第二滑動ブロック２５３と該リストレスト本体２３とには少なくとも該キーボード２１の厚さの距離が確保されており、続いて該第二滑動ブロック２５３に対して回転するべく枢接された壁板２７を回転させ、回転した後の該壁板２７は予め設定された角度（例えば90度など）で定位される。更に該キーボード２１を垂直に立て、該キーボード２１を該壁板２７と該リストレスト２３との間に位置させると同時に該壁板２７によって支える。
【０００７】
図５〜７に示すように、本考案における第二実施例では、先ずキーボードを立てて収納する機能を具有するリストレスト３０に、主にリストレスト本体３３，一つ以上の移動ブロック３５及び壁板３７とが含まれる。
第二実施例における移動ブロック３５は回転方向Ｂで該本体３３が回転して外部に向かって移動する構造となっている。使用者がキーボード３１を操作する際には該リストレスト本体３３はリストレストとしての役割を果たし、また該壁板３７は該移動ブロック３５中の回転ブロック３５１と共に該リストレスト本体３３に収納される。
使用者が該キーボード３１を操作しないときには、該回転ブロック３５１は該リストレスト本体２３を回転方向（図中Ｂ）に回転させて外部へと移動し、移動させた後の該回転ブロック３５１と該リストレスト本体３３との間には、少なくとも該キーボード３１の厚さの距離が保持されているものとする。更に該回転ブロック３５１の壁板３７を回転させ、回転した後の該壁板３７は予め設定された角度（例えば90度など）で定位されるものとし、続いて該キーボード３１を垂直に立てて、該壁板３７と該リストレスト本体３３間に設置し、同時に該キーボード３１を該壁板３７で支持する。
【０００８】
こうして本考案における移動ブロック３５はそれぞれ該リストレスト本体３３両側の内部区間に設置されるため、上述の第二実施例中で示したように、該リストレスト本体３３の両側には皆それぞれ回転して引き移動する回転ブロック３５１が設けられ、該壁板３７を予め設定された角度に位置させると定位されるため、キーボード両側がそれぞれ該壁板３７にて支持されて安定感が提供される。
【図面の簡単な説明】
【０００９】
【図１】公知におけるリストレストを具有するキーボードを示す図である。
【図２】公知における収納に便利なキーボードを示す図である。
【図３】本考案における第一実施例の側面図である。
【図４】本考案における第一実施例のキーボード収納状態を示す図である。
【図５】本考案における第二実施例の側面図である。
【図６】本考案における第二実施例のリストレストを回転させて移動させる状態を示す側面図である。
【図７】図６のＣによる断面図であり、本考案の第二実施例におけるキーボードの収納状態を示す図である。
【符号の説明】
【００１０】
１１  キーボード
１３  リストレスト
１５  キーボード
１５ａ  支え部  
２０  キーボードリストレスト
２１  キーボード
２３  リストレスト本体
２５  移動ブロック
２５１  第一滑動ブロック
２５３  第二滑動ブロック
２７  壁板
３０  キーボードリストレスト
３３  リストレスト本体
３５  移動ブロック
３５１  回転ブロック
３７  壁板
【図１】
0003102243.tif 000003
【図２】
0003102243.tif 000004
【図３】
0003102243.tif 000005
【図４】
0003102243.tif 000006
【図５】
0003102243.tif 000007
【図６】
0003102243.tif 000008
【図７】
0003102243.tif 000009